(57)【特許請求の範囲】
【請求項１】
ペットの尻部を覆うように、腹部側から背中側に渡るペット用オムツにおいて、
シート状の本体部と；前記本体部に固定され、ペットの排泄物を吸収する吸収体とを備え、
前記本体部は、装着時にペットの腹部側に位置する前端部と、背中側に位置する後端部とを有し、
前記本体部において、ペットの尻尾に対応する位置にスリットを設けることによって当該尻尾が貫通する孔を形成し、
前記孔が形成されている領域において、前記スリットは前記本体部の後端部側に向かって突出し、前端部側にはスリットを形成しないことにより、前記孔に対して開閉可能なフラップを形成し、
前記フラップは、装着後においては、ペットの肛門を覆い隠す姿勢を採ることを特徴とするペット用オムツ。
【請求項２】
前記フラップは、前記本体部の長手方向の長さＬが２０〜１００ｍｍであり、前記本体部の幅方向の長さＷが１０〜５０ｍｍであることを特徴とする請求項１に記載のペット用オムツ。
【請求項３】
ＪＩＳカンチレバー法による前記フラップの剛軟度Ａ（ｍｍ）と、前記フラップの長さＬ（ｍｍ）との関係が、Ａ／Ｌ＞０．８であることを特徴とする請求項２に記載のペット用オムツ。
【請求項４】
前記数値Ａ／Ｌが、１．０以上であることを特徴とする請求項３に記載のペット用オムツ。
【請求項５】
前記フラップは、前記本体部において、前記吸収体の存在しない位置に形成されていることを特徴とする請求項１乃至４の何れか１項に記載のペット用オムツ。
【請求項６】
前記吸収体の前記フラップに対向する端部が、当該フラップに対して凹状に成形されていることを特徴とする請求項５に記載のペット用オムツ。
【請求項７】
前記本体部は、前記ペット側に面する吸液性の表面シートと；防水性の裏面シートとを備え、
前記吸収体は、前記表面シートと裏面シートとの間に配置され、
前記表面シートと裏面シートとは、少なくとも、前記フラップ及びその周囲において接着されていることを特徴とする請求項１乃至６の何れか１項に記載のペット用オムツ。
【請求項８】
前記本体部において、前記吸収体の周辺には漏れ防止用の立体ギャザーが形成されていることを特徴とする請求項１乃至７の何れか１項に記載のペット用オムツ。
【請求項９】
前記スリットには、未使用状態において一部前記本体部から離脱していないノッチが形成され、装着時に当該ノッチ部を破断することを特徴とする請求項１乃至８の何れか１項に記載のペット用オムツ。
【発明の詳細な説明】
【０００１】
【発明の属する技術分野】
本発明はペット用の使い捨てオムツ、生理用吸収性物品等のペット用装着物品の改良に関する。
【０００２】
【従来の技術】
従来のペット用オムツにおいては、尻尾に対応する位置に穴を開け、その穴にペットの尻尾を通すようになっている。
【０００３】
【発明が解決しようとする課題】
しかしながら、異なる体型のペットに１つのサイズのオムツを適用させるためには、尻尾用の穴はそれなりに大きくなってしまう。また、動物は、コミュニケーション等の目的で、尻尾を様々な方向に動かす習性がある。このため、尻尾の近くに位置する肛門から軟便（下利便）が排泄された場合に、尻尾用の穴から当該便が漏れてしまうことがあった。
【０００４】
本発明は上記のような状況に鑑みて成されたものであり、尻尾用の穴からの漏れを防止可能なペット用オムツを提供することを目的とする。
【０００５】
【課題を解決するための手段】
上記目的を達成するために、請求項１に記載の発明に係るペット用オムツは、シート状の本体部と；前記本体部に固定され、ペットの排泄物を吸収する吸収体とを備える。そして、前記本体部において、ペットの尻尾に対応する位置にスリットを設けることによって当該尻尾が貫通する孔を形成する。また、前記孔が形成されている領域において、前記スリットは前記本体部の外側に向かって突出し、前記本体部の内側にはスリットを形成しないことにより、前記孔に対して開閉可能なフラップを構成する。更に、前記フラップは、装着後においては、ペットの肛門を覆い隠す姿勢を採るように構成する。
【０００６】
請求項２に記載の発明に係るペット用オムツにおいては、前記フラップは、前記本体部の長手方向の長さＬが２０〜１００ｍｍであり、前記本体部の幅方向の長さＷが１０〜５０ｍｍである。
【０００７】
請求項３に記載の発明に係るペット用オムツにおいては、ＪＩＳカンチレバー法による前記フラップの剛軟度Ａ（ｍｍ）と、前記フラップの長さＬ（ｍｍ）との関係が、Ａ／Ｌ＞０．８である。更に、請求項４に記載の発明に係るペット用オムツにおいては、前記数値Ａ／Ｌが、１．０以上である。
【０００８】
請求項５に記載の発明に係るペット用オムツにおいては、前記フラップは、前記本体部において、前記吸収体の存在しない位置に形成されている。
【０００９】
請求項６に記載の発明に係るペット用オムツにおいては、前記吸収体の前記フラップに対向する端部が、当該フラップに対して凹状に成形されている。
【００１０】
請求項７に記載の発明に係るペット用オムツにおいては、前記本体部は、前記ペット側に面する吸液性の表面シートと；防水性の裏面シートとを備えている。そして、前記吸収体は、前記表面シートと裏面シートとの間に配置され、前記表面シートと裏面シートとは、少なくとも、前記フラップ及びその周囲において接着されている。
【００１１】
請求項８に記載の発明に係るペット用オムツにおいては、前記本体部において、前記吸収体の周辺には漏れ防止用の立体ギャザーが形成されている。
【００１２】
請求項９に記載の発明に係るペット用オムツにおいては、前記スリットには、未使用状態において一部前記本体部から離脱していないノッチが形成され、装着時に当該ノッチ部を破断するように構成されている。
【００１３】
【発明の実施の形態】
以下、本発明の実施例について、添付図面を参照して説明する。なお、本明細書の発明の名称として「オムツ」としているが、本発明はオムツ以外にも、尻尾を有するペット用の生理用吸収物品などの実用品の他に、ファッション性のある衣類等のペット用装着物品に広く適用できるものである。
【００１４】
図１は、本発明の第１の実施例にかかるペット用オムツ１０の構造を示す平面図（内側）である。図２及び図３は、各々、図１のI-I方向及びII-II方向の断面図である。本実施例に係るペット用オムツ１０は、全体に長方形をした本体部と；本体部においてペットの排泄物を吸収する吸収体１６とを備えている。本体部は、図２に示すように、透液性の表面シート１２と、防水性の裏面シート１４とから構成される。そして、吸収体１６は、表面シート１２と裏面シート１４との間に配置される。本実施例においては、ペットの胴体（４８）に沿って顔側及び尻尾側に位置する端部を、前側及び後側端部と称する。前側端部は図１及び図２の上側に対応し、後側端部は下側に対応する。吸収体１６は、本体部の前側端部寄りに配置されている。
【００１５】
液透過性の表面シート１２としては、例えば、ポリエチレンの連続繊維や短繊維を空気流又は水流で交絡させた不織布や、ポリオレフィンのフィルムに機械的又は加熱空気により孔を開けた開孔シートを用いることができる。本実施例においては、ポリプロピレン繊維を熱加工したポイントボンド不織布を用い、目付を２０ｇ／ｍ２（ＧＳＭ）としている。
【００１６】
防水性（不透水性）の裏面シート１４としては、例えば、ポリエチレンを薄膜化したものや、不織布に不透液性のフィルムをラミネート又は張り合わせたものを用いることができる。本実施例においては、ポリエチレンのフィルムを用い、目付を２０ｇ／ｍ２（ＧＳＭ）としている。
【００１７】
吸収体１６の両側には、漏れ防止用の立体ギャザー２４が設けられている。立体ギャザー２４は、不織布と伸縮性の素材によって構成されている。本実施例においては、立体ギャザー２４の高さを６ｍｍに設定している。
【００１８】
本体部において、ペットの尻尾（５０）に対応する位置には、Ｕ字状（円弧状）のスリット１９が形成され、これによって開閉自在なフラップ（ベロ）２０が形成される。なお、吸収体１６のベロ２０に対向する側の端部には、凹部１６ａが形成されており、ベロ２０が直立姿勢を保ち易くし、更には、ベロ２０による開口部からの排泄物の漏れ防止効果を向上させている。
【００１９】
吸収体１６は、幅６０ｍｍ、長さ２００ｍｍの長方形に成形され、凹部１６ａの曲率半径は１００ｍｍに設定されている。また、吸収体１６は、目付１５０ｇ／ｍ２（ＧＳＭ）のパルプと、１００ｇ／ｍ２の高吸収性ポリマーを混合したものを厚さ２．５ｍｍに圧縮加工し、ティッシュで包囲したものを使用する。
【００２０】
ベロ２０の部分においては、表面シート１２と裏面シート１４とがホットメルトによって接着されている。ベロ２０の剛性は、表面シート１２の不織布と、裏面シート１４のフィルムと、接着剤の物性によって調整することが可能である。本実施例においては、オレフィン系の接着剤をスパイラル状に５ｇ／ｍ２（ＧＳＭ）塗布して、表面シート１２と裏面シート１４とを貼り合わせている。
【００２１】
本体部の前側端部の左右両側部には、固定用のテープ１８ａ，１８ｂが設けられている。このテープ１８ａ，１８ｂとしては、粘着テープやメカニカルファスナーのフック部材を採用することができる。本実施例においては、メカニカルファスナーのフック部材を使用する。本実施例における固定テープ１８ａ，１８ｂは、各々、幅２０ｍｍ、長さ５０ｍｍに成形され、表面シート１２と裏面シート１４との間に配置され、ホットメルト及び熱シールによって固定されている。裏面シート１４の後側端部には、糸をループ状にした接着フィルム２６が設けられており、固定テープ１８ａ，１８ｂと機械的に係合するようになっている。
【００２２】
図２及び図３に示すように、本実施例においては、表面シート１２と裏面シート１４とは、ホットメルトにより、ほぼ全面で接着されている。少なくとも、ベロ２０の周辺の領域２２において接着される。
【００２３】
図４は、ベロ２０の形状を示す。例えば、体重５Ｋｇの犬を対象として、オムツ本体の寸法を幅２５０ｍｍ、長さ５００ｍｍとした場合に、ベロ２０の左右方向の幅Ｗは１０〜５０ｍｍが好ましく、前後方向の長さＬは２０〜１００ｍｍが好ましい。例えば、Ｗ＝２５ｍｍ，Ｌ＝４０ｍｍとする。また、円弧側の曲率半径Ｒは５０ｍｍとし、曲線部分の長さＸは１５ｍｍに設定している。なお、ベロ２０の長さＬが２０ｍｍ以下の場合には、スリット１９の全体を曲線とすることが好ましい。
【００２４】
図５及び図６は、実施例に係るペット用オムツの使用状態を示す説明図である。本実施例に係るオムツ１０を着用する際には、最初に、図５に示すように、ベロ２０（スリット１９）の部分にペットの尻尾５０を通すと共に、本体部の吸収体１６側をペットの胴体４８の下側にあてがう。次に、本体部の後側端部をペットの背中側に被せる。その後、図６に示すように、固定テープ１８ａ，１８ｂを接着領域２２に接着させてオムツ１０を固定する。このとき、ベロ２０は、形状、大きさ及び剛性の調整により、後側に倒れてしまうことなく、ペットの肛門を覆う姿勢を維持するように設計されている。
【００２５】
図７は、実施例に使用されるベロ（フラップ）２０の長さＬ及びＪＩＳカンチレバー法による剛軟度Ａの値に基づく特性を示す表である。図５に示す表には、ベロ２０の幅Ｗを２５ｍｍに設定した場合のデータを示す。表中、「ベロの剛性」については、ベロ２０が自重で垂れ下がって肛門部を隠せないものは×、ベロ２０に十分な剛性があり肛門部を隠せるものは○とする。「ベロの効果」については、肛門部から排泄された軟便（下痢便）が尻尾用の孔からオムツ１０の外に漏れるものは×、漏れないものは○としている。また、「総合評価」については、全体としてオムツ１０の外に排泄物が漏れるものは×、漏れないものは○としている
【００２６】
本発明においては、表の太線で囲われた部分の特性が良好であった。この特性を数値として示した場合、ベロ２０の剛軟度Ａ（ｍｍ）と長さＬ（ｍｍ）との関係がＡ／Ｌが、１．０以上となる。但し、実際には、Ａ／Ｌ＞０．８を満たす場合に、良好な効果を得ることができる。
【００２７】
図８は、本発明の他の態様に係るベロの形状を示す説明図であり、開放側が吸収体１６に対向するように形成される。（Ａ）は上述した実施例とほぼ同様の形状であり、Ｕ字型をしている。（Ｂ）はコの字状、（Ｃ）は三角形状に成形されている。（Ｄ），（Ｅ），（Ｆ）は、（Ａ），（Ｂ），（Ｃ）の一部にノッチ５２を形成した例である。ここで、ノッチとは、切り込みの一部において破断していない箇所を意味する。ノッチ５２を設けた場合には、使用時に当該ノッチ５２を破って使用することになる。このように、ノッチを設けることにより、未使用時において、ベロ２０が垂れ下がることなく、本体部が平坦な姿勢を維持し易くなる。
【００２８】
図９には、本発明の他の態様に係るベロ２０（スリット１９）の形状を示す。この実施例においては、Ｕ字状のスリット１９の頂部から延びる１本の直線状のスリット５４を付加している。（Ｂ）図に示すように、ベロ２０に加えて、スリット５４の左右両側が開閉可能であるため、オムツ１０をペットに装着する際に、尻尾５０を通す孔の面積が拡大し、尻尾５０を通し易くなる。
【００２９】
以上、本発明の実施の形態について説明したが、本発明はこれに限定されるものではなく、特許請求の範囲に示された技術的思想の範囲内で適宜設計変更可能であることは言うまでもない。
【００３０】
【発明の効果】
以上説明したように、本出願の請求項１に記載の発明によれば、本体部に形成されたフラップがペットの肛門を覆い隠すため、ペットの肛門から排泄される軟便（下利便）などが尻尾付近から漏れ出るのを有効に防止することができる。
【００３１】
請求項２に記載のように、フラップのペットの胴体前後方向の長さＬを２０〜１００ｍｍとし、胴体幅方向の長さＷが１０〜５０ｍｍとすることにより、フラップが垂れ下がることなく直立した姿勢を保ちやすくなる。
【００３２】
請求項２に記載の発明においては、ＪＩＳカンチレバー法による前記フラップの剛軟度Ａ（ｍｍ）と、フラップの長さＬ（ｍｍ）との関係が、Ａ／Ｌ＞０．８とし、更に、請求項４に記載の発明においては、当該数値Ａ／Ｌが、１．０以上としているため、フラップが垂れ下がることなく直立した姿勢を保ちやすくなり、オムツ装着時に確実にペットの肛門を覆い隠すことが可能となる。
【００３３】
請求項５に記載の発明においては、フラップが吸収体の存在しない位置に形成されているため、吸収体に一旦吸収された尿等の排泄物がフラップ周辺から漏れ出す可能性を低減できる。
【００３４】
請求項６に記載の発明においては、吸収体のフラップに対向する端部が、フラップに対して凹状に成形されているため、フラップの剛性を確保しやすくなり、フラップが直立姿勢をとりやすくなる。
【００３５】
請求項７に記載の発明においては、表面シートと裏面シートとが、少なくとも、フラップ及びその周囲において接着されているため、表面シート、裏面シート及び接着剤の物性によって、フラップの剛性を調整しやすくなる。
【００３６】
請求項８に記載の発明においては、吸収体の周辺に漏れ防止用の立体ギャザーを形成しているため、ペットの排泄物が吸収体の外側に漏れ出すのを防止することが可能となる。
【００３７】
請求項９に記載の発明においては、スリットには、未使用状態において一部前記本体部から離脱していないノッチが形成されているため、未使用状態において、フラップが垂れ下がることがなく、オムツがフラットな姿勢を保ち易くなり、製造効率の向上を図ることが可能となる。
【図面の簡単な説明】
【図１】図１は、本発明の実施例にかかるペット用オムツの構造を示す平面図（内側）である。
【図２】図２は、図１のI-I方向の断面図である。
【図３】図３は、図１のII-II方向の断面図である。
【図４】図４は、実施例に使用されるベロ（フラップ）の形状を示す説明図である。
【図５】図５は、実施例に係るペット用オムツの使用状態を示す説明図である。
【図６】図６は、実施例に係るペット用オムツの使用状態を示す説明図である。
【図７】図７は、実施例に使用されるベロ（フラップ）の長さＬ及び剛軟度の値に基づく特性を示す表である。
【図８】図８は、本発明の他の態様に係るベロの形状を示す説明図である。
【図９】図９（Ａ）は、本発明の他の態様に係るベロの形状を示す平面図、（Ｂ）は使用状態を示す説明図である。
【符号の説明】
１０      ペット用オムツ
１２      表面シート
１４      裏面シート
１６      吸収体
１９      スリット
２０      ベロ（フラップ）
４８      ペット胴体
５０      尻尾
【図１】
0004831893.tif 000002
【図２】
0004831893.tif 000003
【図３】
0004831893.tif 000004
【図４】
0004831893.tif 000005
【図５】
0004831893.tif 000006
【図６】
0004831893.tif 000007
【図７】
0004831893.tif 000008
【図８】
0004831893.tif 000009
【図９】
0004831893.tif 000010